(57)【要約】      （修正有）【課題】呼吸が楽な見栄えの良いマスクを提供する。【解決手段】マスク本体２と、その両端に取り付けられた耳掛け３とより成るマスク１であって、マスク本体は内側通気部材４と外側通気部材６より成る。内側通気部材は、目の粗い生地により、外側通気部材は目の細かい生地により作られている。外側通気部材の中央の縦方向にワイヤーなどの形状保持部材が取り付けられ、両内側通気部材と外側通気部材の間に空間１３を作り出している。空間は上方及び下方に上方開口と下方開口を備える。【選択図】図２
0003229920.tif 000002
【実用新案登録請求の範囲】
【請求項１】
マスク本体と、耳掛けを備え顔面の一部を覆うマスクであって、
前記マスク本体は、顔側に配される内側通気部材と、この内部通気部材の外側に配される外側通気部材より成り、前記内側通気部材は呼吸しやすいように目の粗い生地を用い、前記外側通気部材は飛沫を防止するように目が細かい生地を用いて、それぞれ作られると共に、前記内側通気部材と前記外側通気部材の間に空間が形成されたことを特徴とするマスク。
【請求項２】
前記内側通気部材と前記外側通気部材との間に空間を備え、それを維持するため、前記外側通気部材に、その中央であって上下方向に形状保持部材が取り付けられていることを特徴とする請求項１記載のマスク。
【請求項３】
前記内側通気部材と前記外側通気部材とは、その横方向寸法が異なり、外側通気部材が内側通気部材より長いことを特徴とする請求項１又は２記載のマスク。
【請求項４】
前記内側通気部材と前記外側通気部材とは、ずれが生じないように、少なくとも２カ所を結んでいることを特徴とする請求項１，２または３記載のマスク。
【請求項５】
前記内側通気部材は、目の粗い生地を用いているが、その上方部位に目の細かい生地を用いることを特徴とする請求項１，２，３または４記載のマスク。
【考案の詳細な説明】
【技術分野】
【０００１】
本考案は、日常使用時はもとより、運動時にも適した呼吸しやすいマスクに関する。
【背景技術】
【０００２】
マスクは顔面に装着して口と鼻を覆い、花粉や微細物の吸入を防止し、更には呼吸、咳、くしゃみによって細菌やウイルスを含んだ飛沫が飛散するのを防いでいる。マスクは、例えば不織布では横方向に多数のプリーツ状の折り目を有する略長方形状に作られ、そして両端に耳掛けが設けられている。現在新型コロナウイルスが世界的に流行するようになると、行動時にもマスクの装着が求められ、新型コロナウイルスの流行の防止の観点から、口からの飛沫の拡散を防ぐことが行われている。
【０００３】
バレエ業界でも新型コロナウイルスの影響を受け、レッスン中であっても、各演者も装着が要求されることが余儀なくされている。マスクは口と鼻を覆うため呼吸がしづらく、運動量が大きいバレエ等の演者に大きな身体的負担を与えていた。しかし、レッスン中であっても最高の時間であってほしいとの考えからこの考案が創り上げたものである。
【０００４】
前記した従来公知の不織布のマスクでは、運動時に装着することを想定しておらず、対策を施した公知文献は少ない。例えば、特許文献１では、顔側に配された通気性を備えたシート材から構成された内側通気部材と、外側に配置された通気性を備えたシート部材から構成された外側通気部材と、前記内側通気部材と前記外側通気部材との間に配され、通気性を備えていないシート材から構成された不通気部材とからなり、前記不通気部材は装着時における鼻の位置から口の位置まで、装着時における幅方向に拡開するスリットを備えたものである。このため装着時の呼吸は幅方向に開いたスリットをとおり呼吸が阻害されない利点を有している。
【先行技術文献】
【特許文献】
【０００５】
【特許文献１】実登３２１７０５６号公報
【考案の概要】
【考案が解決しようとする課題】
【０００６】
しかし、不織布の一般的なマスクでは、通気性が悪く、行動時に適さない。即ち、行動時における呼吸を楽に行えるものではない。また、特許文献１では、装着時に不通気部材に形成のスリットが拡大し、このスリットを通して呼吸が楽にできるようになるが、そのスリットから飛沫を外部へ排出してしまうという不都合を有していた。
【０００７】
そこで、この考案は、行動時にも呼吸が楽にでき、しかも飛沫の排出を抑えたマスクを提供するものである。
【課題を解決するための手段】
【０００８】
この考案に使えるマスクは、マスク本体と、耳掛けを備え顔面の一部を覆うマスクであって、前記マスク本体は、顔側に配される内側通気部材と、この内部通気部材の外側に配される外側通気部材より成り、前記内側通気部材は呼吸しやすいように目の粗い生地を用い、前記外側通気部材は飛沫を防止するように目が細かい生地を用いて、それぞれ作られると共に、前記内側通気部材と前記外側通気部材の間に空間が形成されていることにある。
【０００９】
したがって、マスクが装着されると、顔面に密着して顔面を覆うが、鼻から口の前には顔面側隙間が生じることになる。呼吸により口及び鼻からの呼気は、一時的に顔面側隙間内に入り、目の粗い生地よりなる内側通気部材を通過し、外側通気部材により作られる空間に抜け、外側通気部材にそって上方へ、または下方へ流れ外部に排出される。
【００１０】
また一部の呼気は、外側通気部材の目の細かい生地を通過し、外部へ排出される。その際、その外側通気部材にて飛沫の外部へ排出は防がれる。即ち、呼気は空間の上下から抜けることで楽になると共に、飛沫は外側通気部材にて外部への排出は遮断されることになる。
【００１１】
呼吸により口や鼻から吸い込むときは、内側通気部材と外側通気部材とが成す空間により、その上又は下から空気が呼吸され、目の粗い生地の内側通気部材を通って口及び鼻より吸い込まれる。即ち、内側通気部材を抜けるだけで良く、呼吸が楽となる。
【００１２】
この考案のマスクにあって、前記内側通気部材と前記外側通気部材との間に空間を備え、それを保持するための、前記外側通気部材に、その中央にあって上下方向に形状保持部材となるワイヤーが取り付けられていることにあり、このため、外側通気部材が外方へ膨らませられ、空間を保つ作用が行われている。この形状保持部材は、ワイヤーや樹脂材でも良い。
【００１３】
この考案のマスクにあって、前記内側通気部材と前記外側通気部材とは、その横方向寸法が異なり外側通気部材が内側通気部材より長いことにあり、このため、空間を膨らませた状態を維持する作用を助ける働きをする。
【００１４】
この考案のマスクにあって、前記内側通気部材と前記外側通気部材とは、ずれが生じないように、少なくとも２カ所を結んでいることにあり、両内側通気部材と外側通気部材とが装着時にずれてしまうことを防いでいる。
【００１５】
この考案のマスクにあって前記内側通気部材として目の粗い生地が用いられていることにあり、空気の通気を良好としている。なお、デザイン性の観点から上方部位に目の細かい生地を用いている。
【考案の効果】
【００１６】
以上のように、この請求項１の考案によれば、演者や運動競技者にあって呼吸時の飛沫の外部への排出が外側通気部材により防がれると共に、呼吸が両内側通気部材と前記外側通気部材とに形成の空間を介して上下から空気を吸い込み、且つ排出することができることで、目の粗い生地の通過であることも相俟って楽な呼吸に尽力する。
【００１７】
請求項２の考案によれば、外側通気部材にその中央にあって上下方向に形状保持部材であるワイヤーが取り付けられていて、このワイヤーにより外側通気部材を外方へ膨らまされ、空間が常時維持される効果を有している。
【００１８】
また、請求項３の考案によれば、外側通気部材が内側通気部材よりも横方向寸法が長いことから、外側通気部材を膨らませる効果に助力をすることになる。
【００１９】
請求項４の考案によれば、内側通気部材と外側通気部材とは、少なくとも２カ所を結んでいることから、両部材が離れず美的面を損なうことが無い。
【００２０】
請求項５の考案によれば、内側通気部材は、目の粗い生地を用いているが、その上方部位に目の細かい生地を用いられていても、空気の通過は楽で、呼吸を楽にできる効果を持つ。
【図面の簡単な説明】
【００２１】
【図１】この考案に係るマスクの斜視図である。
【図２】同上の外側通気部材を一部切欠のマスクの斜視図である。
【図３】マスク本体の分解斜視図である。
【図４】使用者がマスクを装着した状態図である。
【図５】使用者がマスクを装着している状態にあって、マスクのみを縦方向に切断した状態図である。
【考案を実施するための形態】
【実施例１】
【００２２】
以下、この考案に係るマスクの実施の形態について、図１から図５を用いて説明する。
【００２３】
図１は、マスク１の斜視図で、マスク本体２と、顔面と装着するためのマスク本体２の左右両側に備えられた耳掛け３、３とより成っている。このマスク本体２は、図２及び図３に明らかなように、顔側に配される内側通気部材４と、この内側通気部材４の外側に配される外側通気部材６とより成っている二重構造を呈している。
【００２４】
前記内側通気部材４は、素材として合成繊維製等の呼吸がしやすいように目の粗い生地で作られ、例えばメッシュ素材９より製作され、空気の通過が楽となっている。この実施例では、メッシュ素材９はデザイン性の観点から、横方向中央から上方に上方部位８を備え、その下方にメッシュ素材９のみが露出して顎を包み込む形状となっている（図５で示されている。）。
【００２５】
前記外側通気部材６は、素材として合成繊維などの目が細かい生地で作られ、例えば前記した内側通気部材４のメッシュ素材９に比較して空気の通過が２倍から数倍程きついものとなっている。この外側通気部材６の前面（外側）に配されていて、ずれを防止する目的で２カ所の結び７により内側通気部材４に結ばれている。
【００２６】
それから、外側通気部材６の上下寸法は、内側通気部材４の上下寸法より短く形成され、マスク１は前からみて前記内側通気部材４の上方部材８が露出し、また下方のメッシュ素材９が露出している。また、外側通気部材６の横方向寸法が前記内側通気部材４の横方向寸法により長く形成されている。これは下記する空間１３を作り出すに助力するためである。
【００２７】
また、外側通気部材６の中央にあって上下方向に形状保持部材１１となっているワイヤー等の金属片や樹脂板が取り付けられていて、形状保持部材１１により外側通気部材６を外方へ膨らます作用をしている。この形状保持部材１１があることで、この考案のマスク本体２にあっては、前記内側通気部材４と外側通気部材６との間に隙間である空間１３を持つことになる。
【００２８】
この空間１３は、この考察ではすこぶる重要な構成要素で、図５に明らかなように、上方と下方は外部に開放される上方開口１４ａと下方開口１４ｂを備えている。即ち空間１３は、上方開口１４ａ及び下方開口１４ｂより外部へ繋がり、その内部の空気が呼吸の状況により流動される。
【００２９】
上述の構成において、マスク１を顔面に装着すると、図４に示され、見栄えの良いマスクとなっている。マスク１は顔面に密着して顔面を覆うが、鼻から口の前には顔面側隙間１７が生じることになる。呼吸により鼻からの呼気は、一時的に顔面側隙間１７内に入り、目の粗い生地より成る内側通気部材４を通過し、外側通気部材６により作られる空間１３に抜け、外側通気部材６に添って上方へ又は下方へ流れ、外部へ排出される。
【００３０】
また、一部の呼気は、外側通気部材６である目の細かい生地を通過し、外部へ排出される。その際には、その外側通気部材６によって飛沫が除かれる。即ち、呼気は空間１３から上下の開口１４ａ，１４ｂを介して抜けることになり、呼吸は楽となる。そして、飛沫は外側通気部材６にて排出が遮断される。
【００３１】
口や鼻からの吸気は、呼吸作用により、内側通気部材４と外側通気部材６とより成る空間１３にその上方及び下方開口１４ａ，１４ｂから空気がスムーズに吸気される。そして目の粗い生地の内側通気部材４を通って口及び鼻に吸い込まれる。内側通気部材４の通気抵抗は弱く、抜けるだけで良いために、呼吸は楽に行われる。
【００３２】
なお、図示していないが、外側通気部材６を１重でも、また２重にしても良いことは、考案者が生地の状況によって自ら選択できることである。また、内側通気部材の上方部材８において、メッシュ素材を使うか、目の細かい素材を使うかは、デザインを考える上で、考案者自らが選択できることである。当然ながら、内側通気部材４及び外側通気部材６に色を付けることなども任意である。
【符号の説明】
【００３３】
１  マスク
２  マスク本体
３  耳掛け
４  内側通気部材
６  外側通気部材
７  結び
８  上方部位
９  メッシュ素材
１１  形状保持部材
１３  空間
１４ａ  上方開口
１４ｂ  下方開口
１７  顔面側隙間
【図１】
0003229920.tif 000003
【図２】
0003229920.tif 000004
【図３】
0003229920.tif 000005
【図４】
0003229920.tif 000006
【図５】
0003229920.tif 000007